(57)【特許請求の範囲】
【請求項１】
表示画面に表示されるポインタを移動させるためのセンサーを備え、前記センサーを平面上で移動操作するマウスにおいて、
前記センサーを露出させた摺動部と、
前記摺動部を平面方向に置いた場合に前記摺動部の上部に接続され、使用者が把持するための把持部と、
前記摺動部に当接して、前記摺動部を支持する支持部と、
を備え、
前記摺動部は、底面にゆるやかな凸出面を形成し、
前記把持部は、略円錐形状で、この略円錐形の軸が前記摺動部の底面に対して傾きを以って形成され、前記支持部は、前記摺動部の底面を形成する凸出面と摺動面との間隙を埋めるように形成された部材であり、前記摺動部と一体又は別体に設けられたことを特徴とするマウス。
【請求項２】
前記摺動部が前記把持部より重くなるよう、前記摺動部の内部に重りを配置したことを特徴とする請求項１に記載のマウス。
【請求項３】
前記把持部には、表示画面上に表示されるポインタの指示位置において押圧するクリックボタンを備え、
前記クリックボタンは、前記把持部の略円錐形の軸の前記摺動部の底面に対する傾きにより形成される前記軸と前記底面との鈍角側の面に設けられるとともに、当該面の長手方向の軸に対して対称に形成されたことを特徴とする請求項１又は２に記載のマウス。
【請求項４】
前記クリックボタンは、表示画面上に表示されるポインタの指示位置において押圧することにより発する指示の異なる第１のボタンと、第２のボタンとからなり、
前記第１のボタンと、前記第２のボタンとは、前記鈍角側の面の長手方向に並べて設けられたことを特徴とする請求項３に記載のマウス。
【請求項５】
前記支持部は、貫通口を有する囲い形状からなり、前記囲い形状の少なくとも一部は、前記摺動部の底面に当接するように構成され、
前記センサーは、前記貫通口から前記摺動面に対して露出するよう配置されることを特徴とする請求項１に記載のマウス。
【請求項６】
前記支持部の内側面は、前記摺動部の凸出面が当接するようすり鉢状に形成され、
前記摺動部の底面は、金属を含む磁性体から構成され、
前記支持部の内部には、磁石が設けられたことを特徴とする請求項５に記載のマウス。
【請求項７】
前記摺動部の内部には、磁石が設けられ、
前記支持部の内側面は、金属を含む磁性体から構成されることを特徴とする請求項６に記載のマウス。
【請求項８】
前記磁性体と前記磁石との引き寄せ強度は、前記摺動部が前記支持部上をスライド移動する程度に設定されていることを特徴とする請求項６又は７に記載のマウス。
【請求項９】
前記支持部は、多数の毛状体を前記摺動部の底面を形成する凸出面に設けることにより構成されていることを特徴とする請求項１に記載のマウス。
【発明の詳細な説明】
【技術分野】
【０００１】
本発明は表示画面に表示されるポインタを移動させるためのマウスに係り、手を離しても自立する復元性のある傾斜自在な把持部を備えたマウスに関する。
【背景技術】
【０００２】
代表的なポインティングデバイスであるマウスは、ダグラス・エンゲルバートが１９６１年に最初のマウスを発表し、以来広くコンピューターの画面内のポインターと手元の動作を関係づける役割を担わされてきた。当初は文字列だけのコンピューター画面に図像が持ち込まれ、現実に近似した世界が構築される中、たいへん有効なデバイスとして発展している。
【０００３】
しかし、図１３に示すように肘を固定し、マウス５１を手首から先だけで操作しようとすると、横方向は手首を横に振ることで８センチほど移動させることができるが、前後方向はＰＩ指関節およびＤＰＩ指関節を屈伸させて１〜２センチ動かすのが限界である。斜線で示した横長の楕円がマウス５１の摺動領域形５２である。
【０００４】
これを図１４に示すように、一般的なコンピューターの縦横比が約１対１．５の表示画面領域形５３と、縦横比が約１対４であるマウスの摺動領域形５２を重ね、比べてみると、両者は大きく食い違っている。
【０００５】
また、図１５に示すように、マウス後場にそれが小型であるためにたまたま手首まで空間がある場合を除けば、マウスを引寄せるための可動空間を意図的に設けていると考えられる例はない。可動空間が無い場合はそもそも後退させることさえできない。
【０００６】
したがって、これ以上動かすには図１６に示すように、肘を後方へ引く動作を加えることになる。ここで、手首を浮かせ肘を押したり引いたりする動作には上腕から肩の筋肉が動員され、身体のバランスを保つために少なくとも上体のさまざまな筋肉が緊張する。
【０００７】
これは人体における動作の軽重は身体の中心部と末端部がどういう割合で関わるかによる。例えば、力士が相手を土俵の外に押し出すような大きな動作は腰を中心に全身の筋肉を動員して行われるが、ピンポン球を飛ばすには指先で十分であり、またバスケットボールを飛ばすような場合には少なくとも手から上腕の筋肉を加担させなければならない。情報機器の操作の場合には、重量にかかわる結果を求められることはないので、適切な換作が可能ならば末端に近い身体部分の動作割合を大きくしたほうが効率がよく、身体への負担も少ない。
【０００８】
マウスに比べ、人間が古くから事務作業に用いてきた筆記具による作業は、図１７に示すように、親指、人差し指、中指を使って軸を摘み、手首および指のＰＩＰ関節６１の屈伸でペン先または穂先を操作するので、手首を置いた状態でも縦横自在に作業が可能であり、肘から肩、胴体は作業から解放しておくことができる。
【０００９】
そこで筆記具状の把持部をもつものとして、これまでペンタブレットや図１８に示すようなペンマウス７１や図１９に示すようなペン掴みマウス７２といった、筆記具の持ち方をするポインティングデバイスが開発、市販されている（特許文献１〜３参照。）。
【００１０】
その他、筆記具式でないものにはゲーム機などに多く使われているジョイスティック、ノートパソコンに備えられているタッチパッドやポインティング・スティック、マウスのように摺動をせず指で球を回転させるトラックボール、また、指に装着するものなどがある（特許文献４を参照。）。
【先行技術文献】
【特許文献】
【００１１】
【特許文献１】特開平１０−２６９０１７号公報
【特許文献２】特開平２０００−１３２３２７号公報
【特許文献３】特開平１１−３４５０７９号公報
【特許文献４】特表２００８−５２９１５３号公報
【発明の概要】
【発明が解決しようとする課題】
【００１２】
筆記具状の把持部をもつペンタブレットやペンマウス７１は、その把持体勢がマウスよりも優れているにも関わらず、マウスに代わって広く一般化するには至っていない。これは基本的に次の２つの問題による。
【００１３】
一つ目の問題としては、コンピューター作業においてキーボード等、他の道具とポインティングデバイスの操作が混在するため、頻繁に持ち替える対象としてペン型よりもマウス型の方が作業に入るのに即応性、安定性の点で優れていることが挙がる。つまり、マウス型のものはそれを十分目視しなくても、大体その近辺に手を伸ばせば容易に掴むことができるが、ペン型のものはそれを掴み起こさなければならず、さらに、掴んだとしても先端の向きを確認することが必要となり、また、内蔵センサーは手で支持されることにより初めて働き始めるので、ポインタ位置の修正を毎回要することになる。加えて、多くの場合、机上には他の筆記具も置かれているので、それらの中から選別する作業も必要となる。
【００１４】
二つ目の問題としては、ペン型のマウスはその用法上軽く作られ、さらに面への接触も小さく摩擦が少ない点を背景に、一般的に設けられている把持部にはクリックボタンやスクロールホイール等の操作部を押したり回したりする場合には、その押圧の影響を受け、意図せぬ結果を招き易いといったことが挙がる。マウスの場合は、摺動平面４０（図１５参照）で支えられた部分で操作が行われるためこの影響を受け難いが、ペン型のマウスはクリック等の押圧時に同じ手の指で対向的に支えなければならず、そのため操作は指先に慎重さを要し、神経を使わなければならない。
【００１５】
また、ペン掴みマウス７２では、掴み起こしの手間はないが、筆記具式に軸を運ぼうとしても、軸の傾斜角度が固定されているので、手と指の関節を利用した軸運びはできない。そのため、従来のマウスと同様の肘を前後させる操作をしなければならず、加えて、キーボード等が混在する操作環境においては、転倒の可能性もあり操作者には注意が必要である。
【００１６】
その他、筆記具式でないジョイスティック、ポインティング・スティック、タッチパッド、トラックボール、指先に装着するものは、遊興性、コンパクト性など、それぞれの利点はあるが、操作性一般においてマウスを上回るには至っていない。
【００１７】
本発明は、上記のような課題を解消するために提案されたものであって、その目的は、手首と指の関節の屈伸によるコンパクトな操作で手首や肘の位置を動かさずに前後摺動域の大きい移動が可能なマウスを提供することにある。また、一般的なペン型のマウス等に必要な掴み起こしや注意深い手順を不要とし、操作開始までシングルステップの速やかな作業を実現することが可能なマウスを提供することも目的とする。また、クリックボタンやスクロールホイールの安定した操作を実現することも目的とする。
【課題を解決するための手段】
【００１８】
本発明は、表示画面に表示されるポインタを移動させるためのセンサーを備え、前記センサーを平面上で移動操作するマウスにおいて、前記センサーを露出させた摺動部と、前記摺動部を平面方向に置いた場合に前記摺動部の上部に接続され、使用者が把持するための把持部と、を備え、前記摺動部は、底面にゆるやかな凸出面を形成し、前記把持部は、略円錐形状で、この略円錐形の軸が前記摺動部の底面に対して傾きを以って形成されたことを特徴とする。
【００１９】
また、前記摺動部に当接して、前記摺動部を支持する支持部を備え、前記支持部は、前記摺動部の底面を形成する凸出面と摺動面との間隙を埋めるように形成された部材であり、前記摺動部と一体又は別体に設けられたことを特徴とする。
【００１９】
本発明の好ましい態様では、前記摺動部に当接して、前記摺動部を支持する支持部を備え、前記支持部は、前記摺動部の底面を形成する凸出面と摺動面との間隙を埋めるように形成された部材であり、前記摺動部と一体又は別体に設けられたことを特徴とする。
【発明の効果】
【００２０】
以上のような本発明によれば、使用者により、従来からのマウス型ポインティングデバイスのように手首を浮かせ、肘を前後に動かさなくても、前記摺動部における移動を網羅することができ、表示画面の縦横比により近く食い違いの少ない摺動領域形を実現することが可能なマウスを提供することができる。これにより、使用者の腕や肩は緊張から解放され、疲労や腱鞘炎などの発症を軽減することが可能となる。
【００２１】
また、キーボードや他の道具との連携においては、ペンタブレットやペン型マウス類にあったような、ペン軸を作業態勢まで掴み持ち上げ構えるといった手間がかからないため、作業のスムーズ化を実現できる。さらに、不安定なペン軸上のクリックボタンやスクロールホイールに要求されていた神経質な操作を不必要とすることができる。
【００２２】
また、摺動部底部を凸出面にしているので、可動部品や変形部品を用いずに済み、全体を一体に構成することができるので故障の発生を低減することができる。
【図面の簡単な説明】
【００２３】
【図１】本発明の第１の実施形態に係るマウスの断面図。
【図２】本発明の第１の実施形態に係るマウスのクリックボタンの構成を示す模式図。
【図３】本発明の第１の実施形態に係るマウスの使用状況を示した模式図。
【図４】本発明の第１の実施形態に係るマウスの概念図。
【図５】本発明の第１の実施形態に係るマウスの摺動のしくみを示した図。
【図６】本発明の第１の実施形態に係るマウスの摺動のしくみを示した図。
【図７】本発明の第１の実施形態に係るマウスの摺動のしくみを示した図。
【図８】本発明の第２の実施形態に係るマウスの概念図。
【図９】本発明の第２の実施形態に係るマウスの断面図。
【図１０】本発明の第２の実施形態に係るマウスの使用状況を示す斜視図。
【図１１】他の実施形態に係るマウスの支持部の構成を示す模式図。
【図１２】他の実施形態に係るマウスの支持部の構成を示す模式図。
【図１３】従来のマウスの摺動領域形を示した図
【図１４】従来のマウスの摺動領域形と表示領域形とを比較した図。
【図１５】従来のマウスの可動空間を示した図。
【図１６】従来のマウスの摺動を示した図。
【図１７】従来の筆記具の使用例を示した図。
【図１８】従来のペンマウスの構成例及び使用例を示した図。
【図１９】従来のペン掴みマウスの構成例及び使用例を示した図。
【発明を実施するための形態】
【００２４】
［本実施形態］
［１．第１の実施形態］
［１．１．構成］
次に、本発明の第１の実施形態に係るマウスの構成を、図１を参照して以下に説明する。なお、本発明の主体は、操作者の手指とマウスの把持摺動操作における人間工学上の形態に関わる対応機能にあるので、ポインティングデバイスとしての電子的機構に関わる説明は省略する。
【００２５】
図１に示す通り、第１の実施形態に係るマウスは、大きく分けて、ユーザが把持する把持部１と、当該把持部１下方に接続され、床面を摺動する所定形状の摺動部２と、把持部１及び摺動部２から構成されるマウス外形内部に配設されるセンサーやポインティングデバイスユニット９等の一般的なマウス駆動機構と、から構成されている。
【００２６】
より詳細には、把持部１は、図１の通り、外形が斜めに傾いた略円錐状で内部が空洞の形状を有し、下面は開口し、摺動部２と接続用に当該開口端に掛留部３が形成されている。また、この把持部１には、図１の断面図で言えば上側の側面に、クリックボタン４やスクロールホイール５用の開口が形成されている。
【００２７】
摺動部２は、把持部１下方に接続され、底面側に緩やかな凸出面が形成され、この凸出面が床面と接し摺動する。この摺動部２は、電池又は重り６を収容する収容部が設けられ、把持部１と接続する上面は開口するトレー形状を採用する。また、摺動部２の底面中央にはセンサー孔７が形成され、上面開口部の周辺には把持部１の下面開口端と接続される掛留部３が形成される。なお、摺動部２に把持部１を被せ、両部の掛留部３を係合することで、上下に一体化しマウスが構成される。
【００２８】
マウス駆動機構としては、摺動部２の収容部に電池又は重り６が設置され、センサー孔７にセンサーユニット８が露出するように取り付られる。また、クリックボタン４やスクロールホイール５が把持部１の上側の側面から露出するように、ポインティングデバイスユニット９を把持部１の内部に設置する。
【００２９】
本実施形態のマウスにおいて、クリックボタン４とスクロールホイール５の配置構成は、図２に示すように、種々想定される。図２は、図１における左側、すなわち本実施形態のマウスのクリックボタン４やスクロールホイール５が設けられた正面側から見た様子を平面的に表した模式図である。
【００３０】
図２（ａ）に示すように、本実施形態のマウスのクリックボタン４とスクロールホイール５の配置構成として最適な例は、クリックボタン４を上下方向に第１クリックボタン４ａ（一般的なマウスの左クリックボタンに相当）と第２クリックボタン４ｂ（一般的なマウスの右クリックボタンに相当）とを配置し、この第１及び第２のクリックボタン４ａ，４ｂの中心位置をまたぐようにして縦方向にスクロールホイール５を設けた構成である。より具体的には、クリックボタン４は、外形が斜めに傾いた略円錐状の把持部１の外形状に沿うように設けられ、図２（ａ）に表れるように、全体としてしずく（滴）形の形状からなる。すなわち、クリックボタン４は、マウスの前方から、左右方向に対称に拡がっており、摺動部２側の下方の雫形状の底面側に第２のクリックボタン４ｂを備え、その上方にクリックボタン４ａを備える。
【００３１】
なお、クリックボタン４及びスクロールホイール５の配置構成は、上述の態様に限られず、例えば、図２（ｂ）に示すように、クリックボタン４の第１クリックボタン４ａと第２クリックボタン４ｂとを、左右方向に配置する構成も採用し得る。また、図２（ａ）では、マウス表面側のデザインの統一を得るため、クリックボタン４の外形をしずく形状としたが、この形状については上記態様に限られず、第１及び第２のクリックボタンが縦方向に並べられ、マウスの前方から左右方向に対称に拡がっている構成であれば構わない。
【００３２】
［１．２．作用効果］
上記のような構成を有する第１の実施形態に係るマウスは、次のように作用する。
【００３３】
第１の実施形態に係るマウスを使用する際には、図３に示すように薬指と小指で把持部１を外側下方向から、人差し指と中指で上方向から、親指で内側横方向から掴む。
【００３４】
マウスを後進させる場合には、設けられた可動空間２１へ摺動部２を引き込む。また、マウスを前進させる場合には、可動空間２１へ摺動部２を押し込む。なお、前進させる場合と後進させる場合のどちらも把持部１を傾斜させてこれを行う。
【００３５】
また、人差し指と中指で上面にあるクリックボタン４やスクロールホイール５を操作する。より具体的には、一般的なマウスの左クリックボタンに相当する第１クリックボタン４ａを人差し指で押圧し、一般的なマウスの右クリックボタンに相当する第２クリックボタン４ｂを中指で押圧してもよく、また、第１及び第２のクリックボタン４ａ，４ｂの双方を、人差し指の位置を上下に動かしながら押圧してもよい。また、同様に、第１及び第２のクリックボタン４ａ，４ｂの中心位置をまたぐようにして縦方向に設けたスクロールホイール５を、人差し指によって回すようにする。
【００３６】
なお、図３は使用者の右手によりマウスを握り、右手の指により、クリックボタン４及びスクロールホイール５を操作することを示しているが、本実施形態のマウスでは、第１及び第２のクリックボタン４ａ，４ｂをマウスの上下方向に配置し、それぞれマウスの前方から左右方向に対称に拡がるように配置し、さらに、第１及び第２のクリックボタン４ａ，４ｂの中心位置をまたぐようにして縦方向にスクロールホイール５を設けている。そのため、クリックボタン４及びスクロールホイール５の配置構成に左右差がないため、従来のクリックボタンを左右方向に配置したマウスと異なり、使用者がマウスを右手又は左手のいずれによって操作しても操作感覚に差が生じることがない。
【００３７】
以上のような第１の実施形態に係るマウスによれば、図４の概念図に示すようにセンサーを納めた摺動部２の底面を凸出面化することで把持部１が傾斜自在となり、前後摺動域を倍増させることができる。
【００３８】
より詳細に言えば、図５に示すように、Ｂ点３１（ＰＩＰ関節）を頂点とし、Ｃ点３２（手首関節）と平面上のＡ点３０（摺動センサー）を結ぶ３角形において、掌の長さ３４（辺Ｙ）とマウスの把持部１の長さ３３は変化しないので、通常、Ａ点３０を前後移動させるにはＡ点３０の角度及び辺Ｚ３５（底辺）の長さを可変としなければならない。しかしながら、本発明によれば、把持部１がＡ点３０のもとに傾斜自在であり、また、図４に示すような掌とマウスの間の可動空間２１が存在することで、図６と図７に示すように、前後摺動域を飛躍的に拡大させることが可能となる。
【００３９】
また、把持部１と摺動部２で起き上がり小法師構造とすることにより、把持部１は復元性のある起立をするため、操作開始の際の速やかな把持が可能となり、キーボード操作などの他作業との行き来をシングルステップで快適なものにすることができる。
【００４０】
さらに、把持部１は、摺動平面４０上の摺動部２に支えられているか、手と配分支持されていることで、クリックボタン４等は安定し、リラックスした状態での操作が可能となる。加えて、電池又は重り６の低位置への配置による重心の低下、および把持部１上端部を人差し指のＰＩＰ関節６１付近側面で支持できる形状にすることで安定性のある操作ができる。
【００４１】
また、クリックボタン４及びスクロールホイール５を左右差なく配置したため、従来のクリックボタンを左右方向に配置したマウスと異なり、使用者がマウスを右手又は左手のいずれによって操作しても操作感覚に差が生じることがなく、利便性が高い。
【００４２】
［２．第２の実施形態］
［２．１．構成］
次に、本発明の第２の実施形態に係るマウスの構成を、図８及び８を参照して以下に説明する。なお、基本的な構成は第１の実施形態と共通するため説明を省略し、同じ符号を付すものとする。
【００４３】
第２の実施形態では、図８に示す通り、第１の実施形態に係るマウスに加え、マウスを下方から支持する支持部１０を備える点に特徴を有する。支持部１０は、円盤状の内部を貫通するドーナツ型であり、図９に示す通り、断面形状は外側面と内側面とからなる山型であり、外側面は傾斜面を形成し内側面はすり鉢状に形成される。
【００４４】
具体的には、支持部１０は、摺動部２の底面と接する内側面において、摺動部２の凸出面に対応する形状を有し、摺動部２を支持する際、支持部１０の貫通孔を介して摺動部２の凸出面の頂点と摺動平面とが接する程度の厚みとする。
【００４５】
支持部１０の内部には、支持部１０の形状に沿って円環状に磁石１１が設けられている。これに対して、本実施形態では、摺動部２の少なくとも底面の材質に金属材料等の磁性体を用いている。これにより、支持部１０と摺動部２は磁力により引きつけられ接触保持される。
【００４６】
なお、支持部１０の内部に設けた磁石１１としては、摺動部２を接触保持し、マウスを動作させる際に、当該マウスが支持部１０上をスライド可能となるよう磁力の弱いものを用いるのが好ましい。また、摺動部２に用いる磁性体としては、摺動部２全体を磁性体により構成することも可能であるが、上述のように、摺動部２の底面側において、支持部１０と直接接触する範囲を磁性体により構成すれば十分であり、例えば、磁性体シートを底面側に貼付することによって構成することも可能である。
【００４７】
［２．２．作用効果］
上記のような構成を有する第２の実施形態に係るマウスは次のように作用する。
【００４８】
本実施形態のマウスを使用する際には、マウスを支持部１０に載せることで支持させた状況下において、当該マウスを第１の実施形態と同様に、図１０に示すように、薬指と小指で把持部１を外側下方向から、人差し指と中指で上方向から、親指で内側横方向から掴み、支持部１０上でスライド移動させる。
【００４９】
すなわち、マウスを後進させる場合には、支持部１０上の可動領域へ摺動部２を引き込み、マウスを前進させる場合には、支持部１０上の可動領域へ摺動部２を押し込む。なお、前進させる場合と後進させる場合のどちらも第１の実施形態と同様に、把持部１を傾斜させてこれを行う。また、人差し指と中指で上面にあるクリックボタン４やスクロールホイール５を操作する。
【００５０】
このように使用者が前進及び後進操作の際には、摺動部２自体またはこれに設けた磁性体と、支持部１０の内部に設けた磁石が引き合うことで、把持部１の傾け動作に対してわずかな摩擦力を与える。これにより、使用者が、把持部１に設けたクリックボタン４やスクロールホイール５を押したり回したりした場合であっても、その押圧の影響を受け、マウス全体の過大な傾きによるポイント位置のずれを防止することができる。また、このように、摺動部２と支持部１０との摩擦力による把持部１の傾け動作に対する一定の抵抗力により、使用者は、マウスの可動領域に対して、把持部１を傾け過ぎないように、その角度を過敏に調整するような神経を使うことなく、把持部１を比較的自由に傾けることが可能となる。
【００５１】
また、使用者によるマウスの前進及び後進操作以外の状態において、本実施形態のマウスは、把持部１と摺動部２で起き上がり小法師構造を採用しているため、基本的には自立するものであるが、全体形状を縦長にするため、転倒したままの状態になってしまうことも想定される。この点、本実施形態では、支持部１０が、摺動部２の凸出面の頂点と摺動平面との間の摺動部２の底面側から立ち上がった部分を支持して容易に起立状態を保持することができるため、転倒防止の効果が期待できる。
【００５２】
以上のような第２の実施形態に係るマウスによれば、第１の実施形態に係るマウスを支持部１０により支持した状態で使用することができるので、安定性に長けると共に、作業への即応性にも優れている。また、内部が貫通した支持部１０上でマウスをスライド移動させるため、当該マウスの支持状態においても適切に摺動域を確保することができ、かつ、人的負荷を低減することも可能となる。
【００５３】
［他の実施形態］
なお、本発明は、上記のような実施形態に限定するものではなく、例えば次のような態様も包含するものである。すなわち、上記実施形態のマウスにおける摺動部に対する把持部の角度は、上記実施形態において図面で表されたような対応に限定されるものではなく、また、例えば、把持部の角度調節機構を設けることにより、使用者の目的や手の大きさ等の個人差に応じて適宜選択可能とすることも可能である。
【００５４】
第２の実施形態では、摺動部２に金属材料等の磁性体を採用し、支持部１０に磁石１１を設けた態様を示したが、本発明はこのような実施態様に限定されるものではなく、例えば、この態様とは反対に、摺動部２に磁石を配置し、支持部１０に金属材料等の磁性体を採用する実施形態も包含する。
【００５５】
第２の実施形態では、また、支持部の構成として、図９に示すような断面が外側面と内側面とからなる山型のものを採用しているが、これは最適な実施態様を示すに過ぎない。すなわち、支持部の最低限の構成としては、その名称のとおり、第１義的には、摺動部２の凸出面の頂点と摺動平面との間の摺動部２の底面側から立ち上がった部分が、支持部によって支持されれば良く、第２義的には、上述した摺動部と支持部との間の摩擦力が生じるような態様とすることが好ましい。
【００５６】
したがって、本発明において、支持部は、第２の実施形態に示した態様に限定されず、例えば、図１１に示すように、その平面形状を、Ｃ型（図１１（ａ））、ロの字型（図１１（ｂ））、三角形状（図１１（ｃ））とするものを含む。また、これに限られず、五角形状、六角形状、星型など、他の多角形状によっても構成可能である。
【００５７】
また、第２の実施形態では、支持部は、摺動部底面の凸出面を支持し、かつ、摺動部が支持部上をスライド移動可能なように内側面にすり鉢状の傾斜面を設けていたが、これは、上述した支持部の第２義的な役割を充足させるための構成であり、本発明はこのような場合に限定されない。すなわち、図１１（ｄ）に示すように、支持部の断面形状は、その内外周面を垂直に立ち上がらせた形状により構成することも可能である。
【００５８】
さらに、支持部の第１義的役割及び第２義的役割の双方を充足させる構成として、図１２に示すように、摺動部２の凸出面の頂点と摺動平面との間の摺動部２の底面側から立ち上がった部分に、多数の繊維や針金などの毛状体を生やしたブラシ部１２によって支持部を構成することも可能である。
【符号の説明】
【００５９】
１…把持部
２…摺動部
３…掛留部
４…クリックボタン
５…スクロールホイール
６…電池又は重り
７…センサー孔
８…センサーユニット
９…ポインティングデバイスユニット
１０…支持部
１１…磁石
１２…ブラシ部
２１…可動空間
３０…Ａ点
３１…Ｂ点
３２…Ｃ点
３３…辺Ｘ
３４…辺Ｙ
３５…辺Ｚ
４０…摺動平面
５１…マウス
５２…摺動領域形
５３…表示画面領域形
６１…ＰＩＰ関節
７１…ペンマウス
７２…ペン掴みマウス
【図２】
0005540418.tif 000002
【図１１】
0005540418.tif 000003
【図１２】
0005540418.tif 000004
【図１】
0005540418.tif 000005
【図３】
0005540418.tif 000006
【図４】
0005540418.tif 000007
【図５】
0005540418.tif 000008
【図６】
0005540418.tif 000009
【図７】
0005540418.tif 000010
【図８】
0005540418.tif 000011
【図９】
0005540418.tif 000012
【図１０】
0005540418.tif 000013
【図１３】
0005540418.tif 000014
【図１４】
0005540418.tif 000015
【図１５】
0005540418.tif 000016
【図１６】
0005540418.tif 000017
【図１７】
0005540418.tif 000018
【図１８】
0005540418.tif 000019
【図１９】
0005540418.tif 000020